(57)【要約】【課題】  取引中の非接触型ＩＣカードの盗難、脱落による通信異常を防止し、返却時にカード忘れを防止すること。【解決手段】  取引中のＩＣカードを吸着することにより、ＩＣカードを保持する手段、カード返却時にカードを取りやすくするためのカード開放レバーを備え、カード返却を促すためのランプを具備する。【効果】  本発明により、取引中の非接触型ＩＣカードの盗難を防止するとともに、ＩＣカードの通信安定性を向上させ、利用者の取り忘れを防止することが可能。【選択図】図２
2005182221.tif 000002
【特許請求の範囲】
【請求項１】
現金を取引する自動取引装置において、ＩＣカードを装置の操作面上にセットするカードセット部を形成し、当該カードセット部にセットされたＩＣカードの情報を読取又は書込を実行する読書手段と、前記カードセット部にセットされたＩＣカードを選択された取引中に保持する保持手段と、取引後に前記保持手段からＩＣカードを開放する開放手段とを有することを特徴とする自動取引装置。
【請求項２】
種々のガイダンスを表示する表示手段を有し、該表示手段を前記カードセット部の面上で且つ近傍に設置することを特徴とする請求項１記載の自動取引装置。
【請求項３】
紙幣を入出金する入出金口を有し、前記入出金口を前記カードセット部の面上と同一面に形成したことを特徴とする請求項１記載の自動取引装置。
【請求項４】
前記保持手段は前記カードセット部にセットされたＩＣカードの背面より空気の吸引で吸着することを特徴とする請求項１記載の自動取引装置。
【請求項５】
前記開放手段は前記カードセット部にセットされたＩＣカードの背面をセット面より突出させて開放することを特徴とする請求項１又は４記載の自動取引装置。
【請求項６】
ＩＣカードを検出する検出手段を有し、ＩＣカードを検出したとき前記吸着を実行することを特徴とする請求項４記載の自動取引装置。
【請求項７】
ＩＣカードを検出する検出手段を有し、前記開放手段によりＩＣカードを突出させた後に前記検出手段によりＩＣカードを検出しないとき、前記カードセット部に備わる穴より空気を噴射する手段を有することを特徴とする請求項５記載の自動取引装置。
【請求項８】
前記カードセット部は、ＩＣカードより面積上広く且つ窪み部分を有することを特徴とする請求項１記載の自動取引装置。
【請求項９】
前記カードセット部は複数の穴を有し、空気を吸引するエアーポンプを具備し、
前記保持手段は、前記エアーポンプから前記穴を介して空気の吸引力により前記ＩＣカードを吸着することを特徴とする請求項４記載の自動取引装置。
【請求項１０】
前記開放手段は前記カードセット部に形成された窪み面より上下する返却レバーと、前記返却レバーの上下に駆動する駆動部とを有することを特徴とする請求項５記載の自動取引装置。
【発明の詳細な説明】
【技術分野】
【０００１】
本発明は、ＩＣカードに対して情報の読み書きを行うＩＣカード処理部（ＩＣカードユニットとも言う）を備えた自動取引装置に関するものである。
【背景技術】
【０００２】
ＩＣカードを取り扱う自動取引装置として特許文献１がある。この特許文献１はＩＣカードの期限切れを管理するものであるが、当該文献記載のように、ＩＣカードを装置に挿入し、その挿入されたＩＣカードを装置内部に搬送してその情報を読み書きし、種々の取引を実行した後に当該ＩＣカードを排出するような構成を採用している自動取引装置を開示している。
【０００３】
【特許文献１】特開２００３−１４１６０５号公報
【発明の開示】
【発明が解決しようとする課題】
【０００４】
上述したように、ＩＣカードを装置内部に取り込んでその情報の読み書きを行うため、装置内部に搬送する又は装置内部から外部に搬送するための時間がかかり、また搬送時の媒体詰まりによる装置故障等の問題があった。またＩＣカードを取り扱うＩＣカードユニットの構造自体、搬送路が必須でその搬送制御など複雑でまた高価な装置になってしまうとの問題もあった。
【０００５】
本発明の目的は、上述した問題を解決し、簡素なＩＣカードユニットを提供し、また利用者にとっても取り扱いが簡単なＩＣカードユニットを備えた自動取引装置を提供することにある。またＩＣカードを装置に保持する場合でも操作中の盗難、取引後の媒体の採り忘れなども考慮した自動取引装置を提供するものである。
【課題を解決するための手段】
【０００６】
上述した目的の少なくとも一部を解決するため、ＩＣカードをセットするためのセット部分を有し、そのセット部分を中心にカード内の情報を読み取るなどの処理を実行する送受信部と、カードを所定の取引動作中にセット部分に保持する保持手段と、取引終了後に保持手段から開放する開放手段とを具備する現金自動取引装置。
【発明の効果】
【０００７】
本発明によれば、従来のカード搬送で発生していた媒体詰まりなどの障害を軽減できる。また媒体ジャムの要因となる搬送部を有しないため構成上簡素なカードユニットを提供できる。また従来のカードユニットに対しても安価なユニットを提供できる。また現金自動取引装置の取引中でもそのカードを装置から落とす心配もなく、また第３者による盗難も防ぐことが可能である。また取引中の利用者のカードに対するいたずらも防止できる。一方で取引終了後はカードを取り出しやすい効果も奏する。
【発明を実施するための最良の形態】
【０００８】
図１は紙幣の入金又は出金が可能な現金を取り扱うことができる現金自動取引装置１を示し、当該装置では利用者の保有するＩＣカードにて利用者希望の種々の取引を実行する。ここで、ＩＣカードはその内部に組み込まれた集積回路を有し、メモリー機能だけをつけたもの、セキュリティ機能を組み込んだもの、ＣＰＵを組み込んだマイクロコンピュータタイプのものなどがある。本実施例では接触式ＩＣカードにも適用できるが、非接触式ＩＣカードを例に挙げて説明する。この非接触式ＩＣカードは渦巻状にまかれたアンテナコイルや、電源・電圧を一定にするコンデンサなどの部品を内蔵し、例えばアンテナコイルは、電波を出力するアンテナとして使われると同時に、発電機としての機能を果たす。また非接触式ＩＣカードは、データの読み書きのできる距離によって、次の3つのタイプがある。なお、括弧は読み書きできる距離を示す。
（１）密着型（〜2mm）  データ速度 9.6kbit/s〜  使用周波数 4.91MHz
（２）近接型（〜10cm）  データ速度 106kbit/s〜  使用周波数 13.56Mhz
（３）近傍型（〜70cm）  データ速度 〜26kbit/s  使用周波数 13.56Mhz
本発明の現金自動取引装置は、特に（１）（２）の非接触式ＩＣカードを読み書きするＩＣカード処理部（ＩＣカードユニット）を備えている。
【０００９】
現金自動取引装置１には、上述したＩＣカードユニット、即ちＩＣカード読み取り、書き込み部２を有する。また紙幣の入金又は出金を行う紙幣入出金機構３、取引するためのガイダンスなどの表示や表示しているキーの押下を検知する顧客操作部４、取引後に明細票を発行する明細票印字機構５、取引における履歴を記憶するジャーナル印字機構６、各機構（各手段）の処理を全体的に制御する制御部７を有する。また、ＩＣカードを持っていない利用者のために従来の磁気カードでも取引できるようその読み取り等を行う磁気カード機構８も構成される。他に、ＩＣカードで取引する際に暗証番号を入力するためのＰＩＮ（Personal Identification Number）コード入力部１７、ブザーなど音声を出力するブザー部１９などもある。
【００１０】
図示するように、図１は上部にある図１（ａ）が装置を正面から見た外観図と横方向から見た図面を示し、下部の図１（ｂ）は現金自動取引装置１の内部ブロック図を示す。図１（ａ）に示すように、利用者はＩＣカードをＩＣカードユニット上にセットする態様として採用している。また図１（ａ）の装置のタイプは操作部２を利用者の正面になるように設計されているため、利用者後方の第３者に入力操作が分からないように暗証番号を入力するためのＰＩＮコード入力部１７を操作部２とは別にＩＣカードユニット２近傍に設けている。一方、操作部２をＰＩＮ入力部１７の部分に設け、暗証入力をこの操作部２より実行する態様もあるが、その場合はこの操作部２の近傍（図面では隣の部分）にＩＣカードユニット２を設けて同じ操作面上とすることで、利用者は操作部２により操作しながらＩＣカードの存在を確認できるので、取り忘れなども防止できる効果がある。
【００１１】
図２は図１のＩＣカードユニットの詳細図を示し、カード読書部をＩＣカードがセットされていない状態で正面から見た図と、ＩＣカードをセットしたときの断面図とを図示する。
【００１２】
利用者はＩＣカードを装置の操作面（図１のように紙幣入出金口３の入出金口と同一面上が望ましい）にセットする場合、カードセット部１５にその媒体を置く。このカードセット部１５はＩＣカードより若干広く形成（表面積で）されておりカードを一定位置で保てるように窪みを有する構造としている。そしてこのカードセット部１５の周囲にはカードの返却を利用者に分からせるために点灯、消灯（点滅含む）を行うランプ１１が設置されている。一方、カードセット部１５の窪み部分（カードが置かれる面。窪み面とも言う）は鉄板又はプラスチックで形成されており、その形成された面に多数の穴を有する。この穴がカードを空気の吸引力によって保持するためのエアー吸引口１２である。またＩＣカードが置かれたことを検出するカード検出センサ１８がある。また上述したようにカードセット部１５の窪み面はＩＣカードより若干広く形成されているため、利用者へのカード返却時にその媒体を取り出すことが難しいことから、カード背面よりその媒体面の直行方向で上下に駆動するカード返却レバー（開放部とも言う）１０によってカードを持ち上げ、利用者が媒体を取り上げ易いようにも構成されている。つまり、カード返却レバー１０はカード吸入時にはカードトレーよりも窪んだ位置とし、カード返却時にはカード吸引を停止した際にレバーを突出させる制御を実行することで、カードの端部を持ち上げ、利用者がカードを取り易くする。
【００１３】
ＩＣカードの背面、つまり窪み面より装置内部にはＩＣカードのＩＣチップに記憶された情報を読み取り、又は情報を書き込むアンテナ１３が備わる。もちろん、上述した周波数を使用してデータの送受信を行うことから送受信部とも言う。そしてエアー吸引口１２よりエアーを吸引するエアーポンプ９と、返却レバーを上下に駆動するカード開放レバー駆動部とが構成させる。この駆動部を制御するのがカードユニットに備わる制御部１４で、自動取引装置１の制御部７と通信制御部１６を介してデータ通信される。なお、エアーポンプ９を駆動するとエアー吸引口１２よりカード背面を窪み面に吸着し、停止するとその吸着力が無くなりカードを取り出すことができる。また、カード吸着により、エアーを吸引することにより塵埃を吸い込み吸着力が低下することを防ぐために、カード返却後にエアーポンプ９からエアーを噴出し、エアー吸引口１２に吸い込んだ埃を吹き飛ばす機能も有する。
【００１４】
以上説明した各構成は本発明にとって最も適した構成であるが種々省略しても構わない（以下同じ）。例えば他の実施形態として、返却レバー１０を実装せずに、カード開放検知センサ１８を光学センサの替わりにメカニカルレバーとし且つ軽いバネ構造とすることで、エアーポンプ９の吸引停止をするだけで、バネの反動でカードが持ち上げられ、利用者は上述と同様にカードの片側を持ち上げ、カードを受け取ることもできる。また、図２ではエアー吸引口１２が窪み面全体に亘って均一にあいているが、その穴の密度をカードの長手寸法に対して片側は多く且つ片側は少なくし、更にカード返却時はエアーポンプ９から一定のエアーを噴射することで、カードの長手に対してカードの片側だけが持ち上げられエンドユーザがカードを取り易くすることも考えられる（このときも返却レバー１０は必要ない）。
【００１５】
なお、自動取引装置１の制御部７、カードユニット２の制御部１４，通信制御部１６を纏めて制御部ともいい、エアーポンプ９とエアー吸引口１２によりカードを吸着、保持することから吸着部、保持部ともいい、返却レバー１０とレバー駆動部１０（上述の他の例も含む）によりカードを開放することから開放部ともいう。
【００１６】
次に、本発明における現金自動取引装置の処理について図３に示すフロー図によって説明する。本例では現金の引出取引（支払取引、出金取引）のフローを示すが、現金の預入取引（入金取引）や残高照会、振込取引などにも応用できることは言うまでもない。また当該処理を制御するものは制御部（７、１４含む）であってその説明は省略する。
【００１７】
利用者が現金自動取引装置１に備えられた非接触型ＩＣカード用の読み書き部２、即ち図２のカードセット部１５の窪み部分にカードを載せると、カード検知センサ１８によりカードが載せられたことを検出する（ステップ１）。次にエアーポンプ９を起動し（ステップ２）、エアー吸引口１２よりエアーを吸引することでカードセット部１５上のカードを吸着させる。この状態でカードは保持され、第３者による盗難の恐れ、カードを落としてしまう恐れがない。
【００１８】
次に利用者は顧客操作部４に表示される種々の取引のうち口座引出を選択すると操作部４がそれを検知し、暗証入力をする旨のガイダンスを表示する。利用者がＰＩＮコード入力部１７より暗証番号を入力すると（ステップ３）、その入力された入力データと、送受信部１３によって読み取られたＩＣカード内に記憶されたＰＩＮ（読取データ）とが図示しないホストに送信されて認証処理が実行される（ステップ４）。認証ＮＧの場合は最初の処理に戻るとともにエアーポンプが停止するが、認証ＯＫの場合は出金処理（ステップ６）が実行される。
【００１９】
この出金処理では利用者に出金に必要なテンキーやガイダンスを顧客操作部４に表示し、入力した希望金額分の紙幣を紙幣入出金機構３の紙幣収納庫より繰り出して入出金口より排出する。この出金処理と共にホストでは出金された金額分が利用者の口座から減額、更新される（ステップ７）。
【００２０】
続いて、入出金口に排出された現金を利用者が抜き取るとそれを検知し（ステップ８）、エアーポンプ９の駆動を停止すると共にカード開放レバー駆動部１０を駆動して返却レバー１０を突出させる（ステップ９）。これにより利用者はカードセット部１５の置かれたＩＣカードを取り出せる状態となる。
【００２１】
そしてカードセット部１５の周囲のランプ１１を点滅し（ステップ１０）、音声出力部１９よりカードを取る旨を音声出力して、利用者へＩＣカードの受け取りを促す。一方、カード検出部１８はカードの有無を監視し、カードの受け取りを確認した段階で（ステップ１１）、出金取引を終了する。なお、出金した内容を明細票印字機構５により明細票に印字して排出、当該取引の履歴をジャーナル印字機構６で記録する処理も実行される。これらの取引が全て終了と、エアーポンプ９を再度駆動してエアー吸引口１２よりエアーを噴出して（ステップ１２）、吸引孔の詰まりを防止する。
【００２２】
以上説明したように、取引開始から終了までの間にカードを吸着することで、第３者による盗難を防止できるばかりか、利用者自身による取引中のカード取り出しなどのいたずらも防ぐことができる。取引中は所定のタイミングでＩＣカード内の情報の読み出しや書き込み処理も実行されているため、当該いたずら対策にも有効である。
【図面の簡単な説明】
【００２３】
【図１】現金自動取引装置の全体図を示す。
【図２】非接触型ＩＣカード読み取り、書き込み部の構成図を示す。
【図３】非接触型ＩＣカード対応現金自動取引装置における取引フローを示す。
【符号の説明】
【００２４】
１…現金自動取引装置、２…非接触型ＩＣカード読み書き部（ＩＣカード処理部、ＩＣカードユニット）、３…紙幣入出金機構、４…顧客操作部、５…明細票印字機構、６…ジャーナル印字機構、７…制御部、８…磁気カード機構、９…エアーポンプ、１０…カード返却レバー（開放部）、１１…ランプ、１２…エアー吸引口、１３…通信用アンテナ（送受信部）、１４…非接触型ＩＣカード読み書き部コントローラ、１５…カードセット部、１６…通信制御部、１７…ＰＩＮコード入力用、１８…カードセット検知センサ（カード検知部）、１９…ブザー（音声出力部）
【図１】
2005182221.tif 000003
【図２】
2005182221.tif 000004
【図３】
2005182221.tif 000005